(57)【要約】【課題】  本考案は手鏡を使用する際、手鏡を至近距離から覗きながら、手鏡を装着した手の５本の指が自由に使えるようにすることで、手鏡を持った状態で両手を自由に使えることを可能にする。【解決手段】  本考案は、手鏡本体３にゴムベルト１を装着し、ゴムベルト１の間に親指以外の複数の指を通すことで、手に手鏡本体３を装着させる。従って、この状態で手を動かすだけで、手鏡を目の至近距離等自由な位置に移動させることを可能にし、且つ、両手の指全てが自由に使えるようにしたことで、上述の問題を解決し、生活利便に役に立つ。【選択図】  図１
0003113744.tif 000002
【実用新案登録請求の範囲】
【請求項１】
手鏡本体３（図１参照）にゴムベルト１を装着し、手鏡本体３とゴムベルト１の間に、親指以外の複数の指を通すことで、手鏡本体３を手に装着できるようにした、両手が使える手鏡。
【請求項２】
請求項１のゴムベルト１がリング状で、手鏡本体３の裏面で、パイプ５によって固定し、収納の際に、１を手鏡本体３の背面に収納できるようにした請求項１の両手が使える手鏡。
【請求項３】
請求項１のゴムベルト１がリング状で、手鏡本体３と蓋６に、１が接触する部分に溝８、１１を設置した請求項１の両手が使える手鏡。
【請求項４】
請求項１のゴムベルト１がリング状ではなく、１の両端に中型のビーズ等適宜な立体物１３を装着し、手鏡本体の前面で１３を絡めることでゴムベルト１がリング状になる、請求項１の両手が使える手鏡。
【請求項５】
請求項１の手鏡本体３を、四角形や円形等適宜形状にに形作り、プラスチックや金属等適宜素材で作った請求項１、２、３、４の両手が使える手鏡。
【考案の詳細な説明】
【技術分野】
【０００１】  本考案は、手鏡をゴムベルト１で手に装着させることで、鏡の位置を自由に移動させ、鏡を見ながら、両手の１０本の指を自由に使えることを可能にする手鏡である。
【背景技術】
【０００２】  手鏡を持って、アイメイクやリップラインを引く等の化粧や、コンタクトレンズを直す際、従来の手鏡の場合は、手鏡を手で持った為、手鏡を持っている手の指を使って、手鏡以外のものを持ちにくく、手鏡を持っていない手の指だけで、様々な作業を行わざるを得ず、不便だった。また、目の至近距離に手鏡を引き寄せ、且つ、両手の指を使って化粧をすることができず、不便だった。
【考案の開示】
【考案が解決しようとする課題】
【０００３】  手鏡を使用して、化粧したり、コンタクトレンズを直したりする際、色々な道具を使う必要がある。特に、アイメイクをしたり、視力の弱い人がコンタクトレンズを直す場合に、手鏡を目の至近距離に引き寄せて、手鏡を覗きながら両手の指が自由に使える手鏡が必要だった。従って、手鏡にゴムベルト１を装着させることで、指が自由に使える状態で、手に手鏡を装着させることができ、前述の欠点を解決するものである。
【課題を解決するための手段】
【０００４】  本考案は、手鏡本体３にゴムベルト１を装着し、手鏡本体３とゴムベルト１の間に、親指以外の指を通すことで、手鏡本体３を手に固定する。従って、手鏡を手に装着した状態で、５本の指を自由に使うことを可能にし、手鏡を手に装着しているので、手を動かすだけで、装着している手鏡の位置を、目の至近距離等、自由な位置に移動することを可能にし、従来手鏡を持つと片手しか自由にならなかった欠点を解決している。
【考案の効果】
【０００５】  上述の様に、本考案の両手が使える手鏡は、指で手鏡を持たずに、手鏡を手に装着させることのできるゴムベルト１を手鏡に装着させることで、両手の指の全ての指を自由に使うことを可能にした。又、手鏡を装着した手を動かすことで、目の至近距離等、自由に手鏡の位置を移動することを可能にした。従って、目の至近距離にまで手鏡を近づけて、手鏡を覗きながら、両手の全ての指で様々な動作を行えることを可能にした。目のメイクや、口紅のメイクや、視力の弱い人がコンタクトレンズの具合の確認や調節をたやすく行え、生活利便に役立つことができる。
【考案を実施するための最良の形態】
【０００６】  手鏡本体３にゴムベルト１を装着し、手鏡本体３とゴムベルト１の間に、親指以外の複数の指を通すことで、手鏡本体３を手に装着できるようにする。【０００７】  ゴムベルト１は、手鏡本体３の背面で、パイプ５によって固定する。
【実施例】
【０００８】  以下、本考案を限定することを目的としない、本考案の実施例を図面に従って説明する。
実施例１  以下、添付図面１〜３に従って実施例１を説明する。本実施例は、収納の際、リング状のゴムベルト１を手鏡本体３の背面に収納する場合である。まず、手鏡本体３にリング状のゴムベルト１を装着し、手鏡本体３とゴムベルト１の間に、親指以外の複数の指を通すことで、手鏡本体３を手に装着できるようにする。【０００９】  ゴムベルト１は、手鏡本体３の背面で、パイプ５によって固定し、収納の際は、図３のように１を手鏡本体３の背面に収納する。【００１０】  手鏡本体３の鏡面には、蝶番７で固定した蓋６を装着して収納できるようにする。ただし、蓋６は必ずしも必要ではなく、蓋６の代わりに、不繊布等で作成したカバーして収納することも可能である。【００１１】  実施例２  以下、添付図面４に従って実施例２を説明する。本実施例は、収納の際、リング状のゴムベルト１を手鏡本体３の背面に収納せず、１を鏡面上に使用時の形態のままで、鏡面に蓋６を装着させる場合である。まず、リング状のゴムベルト１が接触する鏡面の枠の部分に、ゴムベルト１とほぼ同等の深さと幅を持つ溝８を設ける。蓋６がゴムベルト１と接触する面にもゴムベルト１とほぼ同等の深さと幅を持つ溝１１を設ける。【００１２】  ゴムベルト１は、手鏡本体３の背面で、パイプ５によって固定し、収納の際は、ゴムベルト１を使用時の形態で装着したまま、蓋６を閉じる。【００１３】  実施例３  以下、添付図面５〜６に従って実施例３を説明する。本実施例は、手鏡本体３に、両端に中型のビーズ等適宜な立体物１３を装着するゴムベルト１を装着し、使用時は中型のビーズ等適宜な立体物１３を絡めることで、ゴムベルト１をリング状にして使用し、収納時は中型のビーズ等適宜な立体物１３を外して、蓋６を閉じて収納する場合である。【００１４】  ゴムベルト１は、手鏡本体３の背面で、パイプ５によって固定し、収納の際は、中型のビーズ等適宜な立体物１３を外して、蓋６を閉じて収納する。尚、中型のビーズ等適宜な立体物１３は、パイプ５の切り口より大きいサイズのものを用いる。【００１５】  本考案の一実施例は上述の如き構成からなるものであるから、手鏡を手に装着して使用する為、手鏡を装着した手の５本の指が自由に使え、目等の至近距離で手鏡を見ながら、両手の指が全て自由に使える手鏡を可能にした。
【図面の簡単な説明】
【００１６】
【図１】両手が使える手鏡の実施例１、２、３の使用例の斜視図
【図２】両手が使える手鏡の実施例１の斜視図
【図３】両手が使える手鏡の実施例１を収納する際の背面側の斜視図
【図４】両手が使える手鏡の実施例２の斜視図
【図５】両手が使える手鏡の実施例３の斜視図
【図６】両手が使える手鏡の実施例３の使用例の斜視図
【符号の説明】
【００１７】  １  ゴムベルト
３  手鏡本体
５  １を固定するパイプ
６  蓋
７  蝶番
８  溝
１１  溝
１３  中型のビーズ等適宜な立体物
【図１】
0003113744.tif 000003
【図２】
0003113744.tif 000004
【図３】
0003113744.tif 000005
【図４】
0003113744.tif 000006
【図５】
0003113744.tif 000007
【図６】
0003113744.tif 000008
【手続補正書】
【提出日】平成17年2月9日(2005.2.9)
【手続補正１】
【補正対象書類名】実用新案登録請求の範囲
【補正対象項目名】請求項１
【補正方法】変更
【補正の内容】
【請求項１】
手鏡本体３にゴムベルト等ベルト１を装着し、手鏡本体３とゴムベルト等ベルト１の間に、親指以外の複数の指を通すことで、手鏡本体３を手に装着できるようにした、両手が使える手鏡。
【手続補正２】
【補正対象書類名】明細書
【補正対象項目名】０００１
【補正方法】変更
【補正の内容】
【０００１】  本考案は、手鏡をゴムベルト等ベルト１で手に装着させることで、鏡の位置を自由に移動させ、鏡を見ながら、両手の１０本の指を自由に使えることを可能にする手鏡である。
【手続補正３】
【補正対象書類名】明細書
【補正対象項目名】０００３
【補正方法】変更
【補正の内容】
【０００３】  手鏡を使用して、化粧したり、コンタクトレンズを直したりする際、色々な道具を使う必要がある。特に、アイメイクをしたり、視力の弱い人がコンタクトレンズを直す場合に、手鏡を目の至近距離に引き寄せて、手鏡を覗きながら両手の指が自由に使える手鏡が必要だった。従って、手鏡にゴムベルト等ベルト１を装着させることで、指が自由に使える状態で、手に手鏡を装着させることができ、前述の欠点を解決するものである。
【手続補正４】
【補正対象書類名】明細書
【補正対象項目名】０００４
【補正方法】変更
【補正の内容】
【０００４】  本考案は、手鏡本体３にゴムベルト等ベルト１を装着し、手鏡本体３とゴムベルト等ベルト１の間に、親指以外の複数の指を通すことで、手鏡本体３を手に固定する。従って、手鏡を手に装着した状態で、５本の指を自由に使うことを可能にし、手鏡を手に装着しているので、手を動かすだけで、装着している手鏡の位置を、目の至近距離等、自由な位置に移動することを可能にし、従来手鏡を持つと片手しか自由にならなかった欠点を解決している。
【手続補正５】
【補正対象書類名】明細書
【補正対象項目名】０００５
【補正方法】変更
【補正の内容】
【０００５】  上述の様に、本考案の両手が使える手鏡は、指で手鏡を持たずに、手鏡を手に装着させることのできるゴムベルト等ベルト１を手鏡に装着させることで、両手の指の全ての指を自由に使うことを可能にした。又、手鏡を装着した手を動かすことで、目の至近距離等、自由に手鏡の位置を移動することを可能にした。従って、目の至近距離にまで手鏡を近づけて、手鏡を覗きながら、両手の全ての指で様々な動作を行えることを可能にした。目のメイクや、口紅のメイクや、視力の弱い人がコンタクトレンズの具合の確認や調節をたやすく行え、生活利便に役立つことができる。
【手続補正６】
【補正対象書類名】明細書
【補正対象項目名】０００６
【補正方法】変更
【補正の内容】
【０００６】  手鏡本体３にゴムベルト等ベルト１を装着し、手鏡本体３とゴムベルト等ベルト１の間に、親指以外の複数の指を通すことで、手鏡本体３を手に装着できるようにする。手鏡本体３に、蓋６はなくてもよい。